(57)【要約】【課題】接着後のミラー平面性が良好であり、ミラーの角度精度が確保できるミラーの接着方法を提供する。【解決手段】ミラー部材とミラー受け板との接着範囲を、ミラー部材が当接部材と当接ずる範囲と、当接しない範囲とで二つに分割する。ミラー部材が当接部材に当接する範囲の接着範囲は、変形しにくい基材の両面テープで構成し、ミラー部材が当接部材に当接しない範囲の接着範囲は、弾性変形しやすい基材の両面テープで構成する。【選択図】図３（ｃ）
2013161004.tif 000002
【特許請求の範囲】
【請求項１】
撮像装置の光軸上に回動可能に配されたミラー部材（２０２ｄ）と、
前記ミラー部材を保持する保持手段（２０２ｅ）と、
前記ミラー部材の裏面に配され、前記ミラー部材を前記保持手段に固定させる接着手段（２０２ｆ，２０２ｇ）と、
前記回動可能なミラー部材が光軸から退避した際にミラー部材の一辺で当接する当接手段（４０１）と、
を有する撮像装置において、
前記接着手段は、前記ミラー部材と前記当接手段が当接する範囲の投影範囲と、
前記ミラー部材と前記当接手段が当接しない投影範囲とで、各々、第一の接着範囲と、第二の接着範囲に分けられ、
前記接着手段は、第一の接着範囲と第二の接着範囲とで、異なる弾性特性であることを特徴とする撮像装置。
【請求項２】
前記第一の接着範囲の接着手段は、前記第二の接着範囲の接着手段より弾性率が高いことを特徴とする請求項１に記載の撮像装置。
【請求項３】
前記ミラー部材は光束の一部を反射し、残りを透過する特性を有し、前記保持手段の中央には前記ミラー部材を透過した光束が通過できるよう矩形開口部（２０２ｈ）が設けられており、前記接着手段の第一の接着範囲は、前記矩形開口部の少なくとも１辺に配され、残りの辺を前記第二の接着範囲で構成されていることを特徴とする請求項１または請求項２に記載の撮像装置。
【請求項４】
前記第一の接着範囲の接着手段を樹脂基材の両面テープで構成し、前記第二の接着範囲の接着手段を発泡体基材の両面テープで構成することを特徴とする請求項１または請求項２に記載の撮像装置。
【発明の詳細な説明】
【技術分野】
【０００１】
本発明は、可動反射ミラーを備えた撮像装置に関し、特にミラー部材の接着固定に関するものである。
【背景技術】
【０００２】
近年、デジタル一眼レフをはじめ、ＣＭＯＳ等の撮像素子を用い、画像をデータとして記録する撮像装置が数多く市場に出回ってきている。デジタル一眼レフでは、従来記録媒体として使用していた感光フィルムが不要になり、これに代わって半導体メモリカードやハードディスク装置等のデータ記録媒体にデータ化された画像を記録する。これらのデータ記憶媒体はフィルムと違って何度でも書き込み、消去が可能であるので、消耗品に掛かる経費が少なくてすみ大変便利である。
【０００３】
このように、消耗品の経費を気にせず撮影可能となったため、デジタル一眼レフの撮影回数はフィルムカメラより大幅に増加している。したがって、カメラ自体の撮影耐久回数はさらなる向上が求められており、特に、撮影毎に駆動するミラーユニットは耐久性や角度精度が必要になっている。ミラーユニットの耐久性を高めるためには、ミラーユニットを形成するミラー部材とミラー受け板との接着強度を十分確保しなければならない。
【０００４】
また一方で、一眼レフ特有の良好なファインダ光学像を得るためには、ミラー部材の反射面の平面性を十分に確保する必要がある。
【０００５】
従来のミラー部材とミラー受け板の接着方法として、ゴム系接着剤などで接着固定する方法がある。また、別の接着方法として、従来より、不織紙基材の両面テープでミラー部材とミラー受け板とを接着固定する方法がある。
【０００６】
また、特許文献１によると、ミラー部材とミラー受け板を弾性のある衝撃吸収部材にて接着固定し、ミラーの破損を防止するミラーユニットが提案されている。
【先行技術文献】
【特許文献】
【０００７】
【特許文献１】特開２００８−４９９５号公報
【発明の概要】
【発明が解決しようとする課題】
【０００８】
しかしながら、従来の接着剤による接着方法では、接着剤の硬化収縮により、ミラー部材が接着剤に引張られ、ミラー部材の平面性が低下する問題があった。
【０００９】
また、不織紙基材の両面テープで接着する方法では、ミラー部材とミラー受け板の平面性の差異により、貼りムラが生じ、十分な接着強度がでないといった問題がある。
【００１０】
さらに、特許文献１のように、ミラー部材とミラー受け板との間を衝撃吸収用の弾性体のみで構成した場合、ミラー駆動時にミラー部材がストッパー部材に当接した応力で、この弾性体が変形する。これにより、ミラー部材とミラー受け板との平行度が不安定になり、ミラーの角度精度に懸念がでる。
【００１１】
本発明は、このような課題を鑑みてされたものであり、ミラー部材とミラー受け板との接着力とミラー部材の平面性を十分確保し、さらにミラー部材とミラー受け板の平行度を保つことが可能なミラーユニットを提案する。
【課題を解決するための手段】
【００１２】
上記課題を解決するために請求項１に記載の発明によれば、撮像装置の光軸上に回動可能に配されたミラー部材と、前記ミラー部材を保持する保持手段と、前記ミラー部材の裏面に配され、前記ミラー部材を前記保持手段に固定させる接着手段と、前記回動可能なミラー部材が光軸から退避した際にミラー部材の一辺で当接する当接手段と、を有する撮像装置において、前記接着手段は、前記ミラー部材と前記当接手段が当接する範囲の略投影範囲と、前記ミラー部材と前記当接手段が当接しない略投影範囲とで、各々、第一の接着範囲と、第二の接着範囲に分けられ、前記接着手段は、第一の接着範囲と第二の接着範囲とで、異なる弾性特性であることを特徴とする。
【００１３】
また、上記課題を解決するために請求項２に記載の発明によれば、前記第一の接着範囲の接着手段は、前記第二の接着範囲の接着手段より弾性率が高いことを特徴とする。
【００１４】
また、上記課題を解決するために請求項３に記載の発明によれば、前記ミラー部材は光束の一部を反射し、残りを透過する特性を有し、前記保持手段の中央には前記ミラー部材を透過した光束が通過できるよう矩形開口部が設けられており、前記接着手段の第一の接着範囲は、前記矩形開口部の少なくとも１辺に配され、残りの辺を前記第二の接着範囲で構成されていることを特徴とする。
【００１５】
また、上記課題を解決するために請求項４に記載の発明によれば、前記第一の接着範囲の接着手段を樹脂基材の両面テープで構成し、前記第二の接着範囲の接着手段を発泡体基材の両面テープで構成することを特徴とする。
【発明の効果】
【００１６】
ミラー部材とミラー受け板との接着範囲を、ミラー部材が当接部材と当接ずる範囲と、当接しない範囲とで二つに分割する。ミラー部材が当接部材に当接する範囲の接着範囲は、変形しにくい基材の両面テープで構成し、ミラー部材が当接部材に当接しない範囲の接着範囲は、弾性変形しやすい基材の両面テープで構成する。
【００１７】
上記構成とすることで、ミラー部材が当接部材に当接した際にも、ミラー部材とミラー受け板の平行度は保たれ、良好な角度精度を確保することが可能になった。また、ミラー部材が当接部材に当接しない範囲の接着範囲は、弾性変形しやすい基材の両面テープで構成したため、両面テープの被接着体への追従性が良好になり、十分な接着強度を確保することが可能となった。また、ミラー部材とミラー受け板の平面性に差異が生じていても、弾性基材の変形により、平面性の差異吸収し、ミラー部材の平面性を阻害しない接着が可能となる。
【図面の簡単な説明】
【００１８】
【図１】本発明における撮像装置のブロック図ある。
【図２（ａ）】本発明における撮像装置の外観図である。
【図２（ｂ）】本発明における撮像装置の外観図である。
【図３（ａ）】本発明における実施例のミラーユニットの外観図である。
【図３（ｂ）】本発明における実施例のミラーユニットの外観図である。
【図３（ｃ）】本発明における実施例のミラーユニットの外観図である。
【図４（ａ）】本発明における実施例のミラーユニットの駆動を示す図である。
【図４（ｂ）】本発明における実施例のミラーユニットの駆動を示す図である。
【図５】本発明における実施例のミラーユニットの断面図である。
【発明を実施するための形態】
【００１９】
［実施例１］
以下、図面を参照して本発明をその好適な実施形態に基づき詳細に説明する。図１は、本発明の実施形態に係る撮像装置の一例としてのデジタル一眼レフカメラの回路構成例を示すブロック図である。図１に示すように本実施形態のデジタル一眼レフカメラのカメラ本体２００には、撮影レンズユニット１００がマウント機構（後述の２５３）を介し着脱可能に取り付けられる。
【００２０】
マウント機構内には、電気的接点群１０７を有し、カメラ本体２００と撮影レンズユニット１００の間で通信を行い撮影レンズのレンズ１０１・絞り１０２の駆動を行う。また、カメラ本体２００には、バッテリーユニット３００が不図示の着脱機構を介し着脱可能に取り付けられる。双方の接触部には電源接点３０５を有し、カメラ本体２００とバッテリーユニット３００の間で電力の供給や通信が行われる。
【００２１】
図示されない被写体像からの撮影光束が、撮影レンズ１０１及び光量を調節するための露出手段である絞り１０２を介して、回動可能な主ミラーユニット２０２に導かれる。主ミラーユニット２０２のミラー部材（後述の＊＊＊）中央部はハーフミラーになっており、該主ミラーユニット２０２がダウンした際に一部の光束が透過する。そして、この透過した光束は、主ミラーユニット２０２に設置されたサブミラーユニット２０３で反射され、ＡＦセンサ２０４に導かれる。
【００２２】
一方、主ミラーユニット２０２で反射された撮影光束は、ピント板２２５で結像される。ピント板に結像した被写体像は、ペンタプリズム２０１、接眼レンズ２０６を介して撮影者の目に至る。
【００２３】
また、主ミラーユニット２０２がアップした際には、上記撮影レンズ１０１からの光束は、フィルタ２０９、機械シャッタであるフォーカルプレーンシャッタ２０８を介して撮像素子としてのＣＭＯＳ等に代表されるイメージセンサ２１０に至る。上記フィルタ２０９は２つの機能を有しているもので、１つは赤外線をカットし可視光線のみをイメージセンサ２１０へ導く機能であり、もう１つは光学ローパスフィルタとしての機能である。
【００２４】
また、フォーカルプレーンシャッタ２０８は、先幕及び後幕を有して成るもので、撮影レンズ１０１からの光束を透過、遮断を制御する遮光手段である。なお、主ミラーユニット２０２のアップ時には、サブミラーユニット２０３は折り畳まれるようになっている。
【００２５】
また、本実施形態のデジタル一眼レフカメラは、当該デジタルカメラ全体の制御を司るＣＰＵにより構成されるシステムコントローラ２２３を備え、後述する各部の動作を適宜制御する。
【００２６】
上記システムコントローラ２２３は、上記撮影レンズ１０１を光軸方向に移動してピント合わせを行うためのレンズ駆動機構１０３を制御するレンズ制御回路１０４と、上記絞り１０２を駆動するための絞り駆動機構１０５を制御する絞り制御回路１０６と、主ミラーユニット２０２のアップダウンの駆動及びフォーカルプレーンシャッタ２０８のシャッタチャージを制御するシャッタチャージ・ミラー駆動機構２１１と、フォーカルプレーンシャッタ２０８の先幕、後幕の走行を制御するためのシャッタ制御回路２１２と、上記接眼レンズ２０６の近傍に配設された測光センサに接続された測光回路２０７と、当該デジタル一眼レフカメラを制御する上で調整が必要なパラメータが記憶されているＥＥＰＲＯＭ２２２と、デジタルカメラの各回路、駆動部に電力を供給するＤＣＤＣ回路２２４等が接続されている。
【００２７】
上記測光回路２０７に接続される測光センサは、図示されない被写体の輝度を測定するためのセンサであり、その出力は測光回路２０７を経てシステムコントローラ２２３へ供給される。
【００２８】
また、上記システムコントローラ２２３は、上記レンズ駆動機構１０３を制御することにより、被写体像をイメージセンサ２１０上に結像する。
【００２９】
また、上記システムコントローラ２２３は、設定されたＡｖ値に基づいて、絞り１０２を駆動する絞り駆動機構１０５を制御し、更に、設定されたＴｖ値に基づいて、上記シャッタ制御回路２１２へ制御信号を出力する。
【００３０】
上記フォーカルプレーンシャッタ２０８の先幕、後幕は、駆動源がバネにより構成されており、シャッタ走行後次の動作のためにバネチャージを要する。シャッタチャージ・ミラー駆動機構２１１は、このバネチャージを制御するようになっている。また、シャッタチャージ・ミラー駆動機構２１１により主ミラーユニット２０２、およびサブミラーユニット２０３のアップダウンが行われる。
【００３１】
また、上記システムコントローラ２２３には、画像データコントローラ２２０が接続されている。この画像データコントローラ２２０は、ＤＳＰ（デジタル信号プロセッサ）により構成される補正データサンプル手段及び補正手段であり、イメージセンサ２１０の制御、該イメージセンサ２１０から入力された画像データの補正や加工などをシステムコントローラ２２３の指令に基づいて実行するものである。
【００３２】
上記画像データコントローラ２２０には、イメージセンサ２１０を駆動する際に必要なパルス信号を出力するタイミングパルス発生回路２１７と、イメージセンサ２１０と共にタイミングパルス発生回路２１７で発生されたタイミングパルスを受けて、該イメージセンサ２１０から出力される被写体像に対応したアナログ信号のゲインを調整するＡＧＣ２３３とゲインが調整されたアナログ信号をデジタル信号に変換するためのＡ／Ｄコンバータ２１６と、得られた画像データ（デジタルデータ）を一時的に記憶しておくＤＲＡＭ２２１と、Ｄ／Ａコンバータ２１５及び画像圧縮回路２１９とが接続されている。
【００３３】
上記ＤＲＡＭ２２１は、加工や所定のフォーマットへのデータ変換が行われる前の画像データを一時的に記憶するための記憶手段として使用される。
【００３４】
なお、測光回路２０７にて測光を行い、システムコントローラ２２３にて露出値を決定し、その露出値に基づいて算出されたＴｖ値が所定の値（１／レンズの焦点距離）以下であった場合、所定の値（１／レンズの焦点距離）以上になるようＡＧＣ２３３にてゲインアップを行うことができる。
【００３５】
また、上記Ｄ／Ａコンバータ２１５には、エンコーダ回路２１４を介して画像表示回路２１３が接続される。さらに、画像圧縮回路２１９には、画像データ記録メディア２１８が接続される。システムコンローラ２２３は画像データコントローラ２２０を介し、画像圧縮回路２１９に信号を送ることにより、画像の形式と圧縮率の設定を行うことができる。
【００３６】
ここで画像はピント位置を見分けるのに十分な画質であり、かつ、容量が必要以上に大きくならない程度に圧縮される。一般的にカメラはＲＡＷ形式、ＪＰＥＧ形式の両方の形式で画像を記憶することができ、かつＪＰＥＧ形式の時には圧縮率を高、中、低の３段階の中から選択することができる。画像表示回路２１３はシステムコントローラ２２３からの信号により、背面液晶表示装置２３６に適宜画像を表示するよう構成されている。
【００３７】
上記画像データコントローラ２２０は、ＤＲＡＭ２２１上の画像データを、Ｄ／Ａコンバータ２１５によりアナログ信号に変換してエンコーダ回路３１へ出力する。エンコーダ回路３１はこのＤ／Ａコンバータ２１５の出力を、上記画像表示回路２１３を駆動する際に必要な映像信号（例えばＮＴＳＣ信号）に変換する。
【００３８】
上記画像圧縮回路２１９は、ＤＲＡＭ２２１に記憶された画像データの圧縮や変換（例えばＪＰＥＧ）を行うための回路である。変換された画像データは、画像データ記録メディア２１８へ格納される。この記録メディアとしては、ハードディスク、フラッシュメモリ等が使用される。
【００３９】
さらにシステムコントローラ２２３には、当該デジタルカメラの電源のＯＮ、ＯＦＦを切替える電源ＳＷ２３４と、測光・オートフォーカスなどの撮影準備動作を開始させるためのレリーズＳＷ１（２３２）と、撮像動作を開始させるためのレリーズＳＷ２（２３１）と、ユーザが所望の動作を当該デジタルカメラに実行させるべくモードを設定するモード設定ＳＷ２３０と、各種選択パラメータの中から所望のものを選択するための選択ＳＷ２２９と、選択されたパラメータを決定するための決定ＳＷ２２８と、回転動作によりパラメータをアップダウンさせて表示する電子ダイヤルＳＷ２２７とが接続されている。
【００４０】
また、２３７はストロボであり、ＡＦ補助光の投光機能、ストロボ調光機能も有する。また、ＤＣＤＣ回路２２４には所定の抵抗値を持ったダミーロード２３５が接続されている。ＤＣＤＣ回路２２４はダミーロード２３５に所定の電流値で電流を流し、このときのバッテリー電圧の降下量を検知することで、バッテリーの電圧値を検出することができる。ＤＣＤＣ回路２２４は電源接点３０２を介してバッテリー本体３０１と接続されており、ＤＣＤＣ回路２２４はバッテリー本体３０１から電力の供給を受けている。
【００４１】
図２（ａ）、図２（ｂ）は、本発明の実施形態に係る撮像装置の外観図である。カメラ本体２００の正面には正面外装部品２５０が配されている。正面外装部品２５０の正面には、前述のレンズユニット１００が着脱可能なマウント機構２５１が配されている。マウント機構２５１の内側には、前述の電気的接点群１０７、及び主ミラーユニット２０２などが配される。
【００４２】
さらに、正面外装部品２５２の左側には、ユーザがカメラ本体２００を保持するためのグリップ２５２が構成されている。グリップ２５４の上部には前述のレリーズＳＷ１（２３２）とレリーズＳＷ２（２３１）が備えられている。レリーズＳＷ１（２３２）とレリーズＳＷ２（２３１）は同じ操作部材で構成され、操作部材の押込量に応じて各々の信号を出力する。
【００４３】
レリーズＳＷ１（２３２）とレリーズＳＷ２（２３１）は、ユーザが撮影時にカメラを構えた際、グリップ２５４を保持する右手の人差し指で押圧できるように構成されている。
【００４４】
カメラ本体２００の背面には背面外装部品２５３が配されている。背面外装部品２５３には後述する各種操作部材や液晶表示装置等が取り付けられている。カメラ本体２００の背面中央部には背面液晶表示装置２３６が配されている。背面液晶表示装置２３６は背面外装部品２５３に固定されており、外観部の一部を構成している。カメラ本体２００の背面上部には接眼レンズ２０６が配されている。接眼レンズ２０６の近傍には視度調整ダイヤル２５４が配されている。視度調整ダイヤル２５４を回転動作させるとことで、ユーザはファインダ内を鮮明に見えるよう調整することが可能である。
【００４５】
デジタルカメラ２００の背面下部には、電源のＯＮ、ＯＦＦを切替える電源ＳＷ２３４が配されている。また、カメラ本体２００の背面には電子ダイヤル２２７が配されており、電子ダイヤル２２７を回転動作させることで、露出補正や絞り値といったパラメータの表示をアップダウンさせることができる。電子ダイヤル２２７の中央には決定ＳＷ２２８が配されており、各種メニューやパラメータの決定時に使用される。
【００４６】
デジタルカメラ２００の上部には各種パラメータを選択するための選択ＳＷ２２９が配されている。選択ＳＷ２２９を押圧することで、各種選択パラメータの中から所望のものを選択することができる。同じくデジタルカメラ２００の上部にはモード設定ＳＷ２３０が配されている。モード設定ＳＷ２３０を回転動作させることにより、ユーザが所望の動作を当該デジタルカメラに実行させるべくモードを設定することができる。
【００４７】
図３（ａ）、図３（ｂ）、図３(ｃ）は本発明の実施形態に係るミラーユニットの外観図である。図３（ａ）、図３（ｂ）、図３(ｃ）を用いてミラーユニットの構成を説明する。
【００４８】
図３（ａ）、図３（ｂ）に示す通り、ミラーユニットは前述の主ミラーユニット２０２、および、サブミラーユニット２０３、ミラー駆動機構２１１、ミラーアップ時に主ミラーユニット２０２が当接するミラー当接部材４０１で構成される。
【００４９】
図３（ｃ）に示す通り、主ミラーユニット２０２は主ミラーヒンジ軸２０２ａを不図示の保持部材にて回動可能に保持されている。また、主ミラーユニット２０２は、サブミラーユニット２０３を回動可能に保持できるよう、サブミラーヒンジ軸２０２ｂを備えている。さらに、主ミラーユニット２０２にはミラーアップの際に、ミラーアップレバー（後述の２１１ｂ）の回動を受けるための主ミラー駆動軸２０２ｃが備えられている。
【００５０】
主ミラー受け板２０２ｅには、ハーフミラーの特性をもつ主ミラー部材２０２ｄが接着固定されている。接着固定は主ミラー受け板２０２ｅに貼付けられた弾性両面接着テープ２０２ｆ、および、非弾性両面接着テープ２０２ｇによってなされる。
【００５１】
弾性両面接着テープ２０２ｆは、ウレタンフォームなどの発泡体をテープ基材とした両面接着テープが使用されている。非弾性両面接着テープ２０２ｇは、ＰＥＴフィルムなどの樹脂基材をテープ基材とした両面接着テープが使用されている。非弾性両面接着テープ２０２ｇは、主ミラー受け板２０２ｅのミラー貼付範囲内において、主ミラーヒンジ軸２０２ａと対向するミラー先端部に配される。
【００５２】
一方、弾性両面接着テープ２０２ｆは、前記の非弾性両面接着テープ２０２ｇの接着範囲を除く、他の範囲すべてに配されている。
【００５３】
なお、主ミラー受け板２０２ｅには、ハーフミラーの特性をもつ主ミラー部材２０２ｄが透過した光を後方に導くための開口部２０２ｈが設けられている。上記の非弾性両面接着テープ２０２ｇはこの開口部２０２ｈのミラー先端側の１辺をなすように配されており、弾性両面接着テープ２０２ｆは残りの３辺をなすように配されている。
【００５４】
このように、弾性両面接着テープ２０２ｆの割合を多くすることで、弾性両面接着テープ２０２ｆが主ミラー部材２０２ｄと主ミラー受け板２０２ｅとの間に生ずる平面性の差をキャンセルするため、接着固定後の主ミラー部材２０２ｄの平面性を良好に保つことが可能である。
【００５５】
サブミラーユニット２０３は主ミラーが有するサブミラーヒンジ軸２０２ｂに回動可能に保持されている。また、サブミラーユニット２０３は、主ミラーユニット２０２のミラーアップ動作に追従して、閉じ方向に回動できるよう、カム機構２０３ａと、前記主ミラー部材２０２ｄが透過した光を前述のＡＦセンサ２０４へ導くためのミラー部材２０３ｂとが備えられている。サブミラーユニット２０３のミラー部材２０３ｂは、不図示の両面テープにて、サブミラー受け板２０３ｃに貼付けられている。
【００５６】
図４（ａ）、図４（ｂ）は、本発明の実施形態に係るミラーユニットの駆動を示す図である。図４（ａ）、図４（ｂ）を用いて、ミラーのアップ駆動を説明する。
【００５７】
ミラー駆動機構２１１には、アップ緊定レバー２１１ａ、駆動レバー２１１ｂ、アップバネ２１１ｃ、ダウン緊定レバー２１１ｄ、ミラーアップレバー２１１ｅ，ダウンバネ２１１ｆで構成されている。アップ緊定２１１ａは図中の軸中心に回動可能であり、不図示のバネにより図中時計回り方向に付勢されている。駆動レバー２１１ｂは図中の軸中心に回動可能であり、アップバネ２１１ｃにより図中時計回り方向に付勢されている。アップ緊定レバー２１１ａには切欠き部が設けられており、バネの付勢力によって駆動レバー２１１ｂの回動を係止している。
【００５８】
駆動レバー２１１ｂは、アップ緊定レバー２１１ａに係止された部位と回転中心を挟んで反対側にダウン緊定レバー２１１ｄを備えている。ダウン緊定レバー２１１ｄは不図示のバネにより反時計回りに付勢されている。ダウン緊定２１１ｄは係止爪を有しており、駆動レバー２１１ｂと同じ回転中心で回動するミラーアップレバー２１１ｅを係止している。
【００５９】
これにより、ダウン緊定レバー２１１ｄがミラーアップレバー２１１ｅを係止している間は、ミラーアップレバー２１１ｅと駆動レバー２１１ｂは一体となって回動する。また、ミラーアップレバー２１１ｅは主ミラー駆動軸２０２ｃとの当接部を有している。
【００６０】
上記の構成にて、ミラーアップの際は図３（ｃ）に示す通り、不図示のアクチュエータによってアップ緊定レバー２１１ａが反時計まわり回動し、駆動レバー２１１ｂとの係止が外れる。係止の外れた駆動レバー２１１ｂは、アップバネ２１１ｃの付勢力により、ダウン緊定２１１ｄ、ミラーアップレバー２１１ｅと一体になって反時計回りに回動する。駆動レバー２１１ｂと一体となって回動したミラーアップレバー２１１ｅは、主ミラー駆動軸２０２ｃと当接しながら駆動することで、主ミラーユニット２０２を主ミラーヒンジ軸２０２ａ中心に回動させながら押し上げる。押し上げられた主ミラーユニット２０２がミラー当接部材４０１に当接し、回動を停止させてミラーアップが完了する。
【００６１】
図５はミラーアップ時のミラーユニットの断面図である。ミラーユニットがミラーアップした際、サブミラーユニット２０３は主ミラーユニット２０２と閉じた状態になる。また、主ミラーユニット２０２のミラー部材２０２ｄ先端部がミラー当接部材４０１に当接した状態となる。ミラー当接部材４０１とミラー部材２０２ｄとが当接する略投影範囲はＰＥＴ基材などの非弾性両面接着テープ２０２ｇにてミラー部材２０２ｄが主ミラー受け板２０２ｅ固定されているため、ミラー当接部材４０１との当接時に応力を受けても、両面接着テープ層が圧縮変形することはない。これにより、ミラー部材２０２ｄが主ミラー受け板２０２ｅとの平行度が安定し、ミラーの角度変化を防止することができる。なお、ミラー当接部材４０１とミラー部材２０２ｄとが当接する略投影範囲以外は、弾性両面接着テープ２０２ｆにてミラー部材２０２ｄが主ミラー受け板２０２ｅ固定されている。
【符号の説明】
【００６２】
１００：撮影レンズユニット、１０１：撮影レンズ、１０２：絞り、１０３：レンズ駆動機構、１０４：レンズ制御回路、１０５：絞り駆動機構、１０６：絞り制御回路、１０７：電気的接点群、２００：カメラ本体、２０１：ペンタプリズム、２０２：主ミラーユニット、２０２ａ：主ミラーヒンジ軸、２０２ｂ：サブミラーヒンジ軸、２０２ｃ：主ミラー駆動軸、２０２ｄ：主ミラー部材、２０２ｅ：主ミラー受け板、２０２ｆ：弾性両面接着テープ、２０２ｇ：非弾性両面接着テープ、２０２ｈ：開口部、２０３：サブミラーユニット、２０３ａ：サブミラーカム機構、２０３ｂ：サブミラー部材、２０３ｃ：サブミラー受け板、２０４：ＡＦセンサ、２０６：接眼レンズ、２０７：測光回路、２０８：フォーカルプレーンシャッタ、２０９：フィルタ、２１０：イメージセンサ、２１１：シャッタチャージ・ミラー駆動機構、２１１ａ：アップ緊定レバー、２１１ｂ：駆動レバー、２１１ｃ：アップバネ、２１１ｄ：ダウン緊定レバー、２１１ｅ：ミラーアップレバー、    ２１１ｆ：ダウンバネ、２１２：シャッタ制御回路、２１３：画像表示回路、２１４：エンコーダ回路、２１５：Ｄ／Ａコンバータ、２１６：Ａ／Ｄコンバータ、２１７：タイミングパルス発生回路、２１８：画像データ記録メディア、２１９：画像圧縮回路、２２０：画像データコントローラ、２２１：ＤＲＡＭ、２２２：ＥＥＰＲＯＭ、２２３：システムコントローラ、２２４：ＤＣＤＣ回路、２２５：ピント板、２２７：電子ダイヤルＳＷ、２２８：決定ＳＷ、２２９：選択ＳＷ、２３０：モード設定ＳＷ、２３１：レリーズＳＷ２、２３２：レリーズＳＷ１、２３３：ＡＧＣ、２３４：電源ＳＷ、２３５：ダミーロード、２３６：背面液晶表示装置、２３７：ストロボ、２３９：ＡＦロックＳＷ、２５０：正面外装部品、２５１：マウント機構、２５２：グリップ、２５３：背面外装部品、２５４：視度調整ダイヤル、３００：バッテリーユニット、３０１：バッテリー本体、４０１：ミラー当接部材
【図１】
2013161004.tif 000003
【図２（ａ）】
2013161004.tif 000004
【図２（ｂ）】
2013161004.tif 000005
【図３（ａ）】
2013161004.tif 000006
【図３（ｂ）】
2013161004.tif 000007
【図３（ｃ）】
2013161004.tif 000008
【図４（ａ）】
2013161004.tif 000009
【図４（ｂ）】
2013161004.tif 000010
【図５】
2013161004.tif 000011